(57)【要約】【課題】ヒンジ軸をヒンジ孔から外されにくい防犯性の高い遊技機のヒンジ構造を提供する。【解決手段】本発明のヒンジ構造は、開閉体２の一側辺と、枠体３の一側辺とを、開閉可能及び着脱可能に連結する遊技機１のヒンジ構造であって、ヒンジ構造は、ヒンジ軸４１と、ヒンジ軸４１を支持する支持板４２と、ヒンジ軸の頭部４１１が嵌合するヒンジ孔４３とを含み、開閉体２又は枠体３のいずれか一方に支持板４２が固定され、他方にヒンジ孔４３が設けられ、頭部４１１をヒンジ孔４３から出没させることによって枠体３と開閉体２とを着脱し、ヒンジ軸４１は、頭部４１１に突起４１４を含み、かつ、突起４１４によって、頭部４１１がヒンジ孔４３に嵌合しない非嵌合位置と、頭部４１１がヒンジ孔４３に嵌合する嵌合位置との間を回動変位するように支持され、開閉体２と枠体３とが少なくとも閉鎖されているときに非嵌合位置である。【選択図】図２
2009131577.tif 000002
【特許請求の範囲】
【請求項１】
開閉体の一側辺と、枠体の一側辺とを、開閉可能及び着脱可能に連結する遊技機のヒンジ構造であって、
前記ヒンジ構造は、ヒンジ軸と、前記ヒンジ軸を支持する支持板と、前記ヒンジ軸の頭部が嵌合するヒンジ孔とを含み、前記開閉体又は前記枠体のいずれか一方に前記支持板が固定され、他方に前記ヒンジ孔が設けられ、前記頭部を前記ヒンジ孔から出没させることによって前記枠体と前記開閉体とを着脱し、
前記ヒンジ軸は、前記頭部に突起を含み、かつ、前記突起によって、前記頭部が前記ヒンジ孔に嵌合しない非嵌合位置と、前記頭部が前記ヒンジ孔に嵌合する嵌合位置との間を回動変位するように支持され、前記開閉体と前記枠体とが少なくとも閉鎖されているときに前記非嵌合位置であることを特徴とする遊技機のヒンジ構造。
【請求項２】
前記ヒンジ構造は、前記開閉体と前記枠体とが閉鎖されているときに前記ヒンジ軸の軸回動を固定するヒンジ軸固定手段をさらに含む請求項１に記載の遊技機のヒンジ構造。
【請求項３】
前記ヒンジ軸の回動は、前記開閉体の開閉に追動するよう構成されている請求項１及び２に記載の遊技機のヒンジ構造。
【発明の詳細な説明】
【技術分野】
【０００１】  本発明は、ぱちんこ遊技機、アレンジボール遊技機、遊技球を遊技媒体として使用するスロットマシン等の遊技機に関し、特にガラス枠等の開閉体と前枠等の枠体とを開閉可能及び着脱可能に連結する遊技機のヒンジ構造に関する。
【背景技術】
【０００２】  従来、遊技機の開閉体と枠体との取付け構造には、メンテナンスや部品交換を目的として、開閉可能及び着脱可能なヒンジ構造が用いられている。例えば、遊技盤を配設した前枠の前面側にヒンジ構造で取付けたガラス枠、ガラス枠にヒンジ構造で嵌めこんだ複層ガラスユニット、前枠の前面側にヒンジ構造で取付けた球皿ユニット、及び、機構板の後面側にヒンジ構造で取付けた球タンクユニット等に用いられる。【０００３】  このようなヒンジ構造としては、例えば、ヒンジ軸（枢軸）と、ヒンジ軸を支持する支持板（ブラケット）と、ばねと、ヒンジ孔とを含むヒンジによって、ガラス枠（表枠）と前枠とを開閉可能及び着脱可能に連結したヒンジ構造が知られている（例えば、特許文献１参照）。支持板はガラス枠に固定されており、ヒンジ孔は前枠に設けられている。ヒンジ軸の摘み部（撮み）と支持板とは、ばねによってヒンジ軸が突出するように付勢されており、摘み部を付勢力に抗して没入方向に移動させることによって、ヒンジ孔を貫通していたヒンジ軸が没入しガラス枠が取外されるようになっている。
【特許文献１】特開２００１−１６１９９４号公報
【発明の開示】
【発明が解決しようとする課題】
【０００４】  しかしながら、上述のヒンジ構造では、ヒンジ軸のヒンジ孔から突出した部分を上から強引に押して没入させたり、ヒンジ孔を強引に引き上げたりすることによって、ヒンジ孔とヒンジ軸を離間させてガラス枠を取外す不正行為がなされることがあるという課題があった。また、ヒンジ軸はばねの付勢力によって突出しているに過ぎず、メンテナンスで開放したとき、意図せずヒンジ軸をヒンジ孔から外してしまう可能性もあった。【０００５】  上述したガラス枠と本体枠とを連結するヒンジ構造以外にも同様のヒンジ構造が知られ、同様の課題があった。【０００６】  本発明は、このような課題を解決するためになされたものであり、開閉体と枠体が閉鎖しているときヒンジ軸をヒンジ孔から外されにくい防犯性の高い（不正行為対策を強化した）遊技機のヒンジ構造を提供する。
【課題を解決するための手段】
【０００７】  本発明は、開閉体の一側辺と、枠体の一側辺とを、開閉可能及び着脱可能に連結する遊技機のヒンジ構造であって、
前記ヒンジ構造は、ヒンジ軸と、前記ヒンジ軸を支持する支持板と、前記ヒンジ軸の頭部が嵌合するヒンジ孔とを含み、前記開閉体又は前記枠体のいずれか一方に前記支持板が固定され、他方に前記ヒンジ孔が設けられ、前記頭部を前記ヒンジ孔から出没させることによって前記枠体と前記開閉体とを着脱し、
前記ヒンジ軸は、前記頭部に突起を含み、かつ、前記突起によって、前記頭部が前記ヒンジ孔に嵌合しない非嵌合位置と、前記頭部が前記ヒンジ孔に嵌合する嵌合位置との間を回動変位するように支持され、前記開閉体と前記枠体とが少なくとも閉鎖されているときに前記非嵌合位置であることを特徴とする。
【発明の効果】
【０００８】  本発明によれば、開閉体と枠体とが閉鎖されているとき、ヒンジ軸の頭部がヒンジ孔に嵌合しないのでヒンジ軸が没入しない、安全性の高いヒンジ構造となる。
【発明を実施するための最良の形態】
【０００９】  本発明は、開閉体の一側辺と、枠体の一側辺とを、開閉可能及び着脱可能に連結する遊技機のヒンジ構造に関する。前記枠体と前記開閉体とは、遊技機において開閉及び着脱できることが好ましい部品の組み合わせであれば特に限定されない。例えば、前枠とガラス枠、ガラス枠とそのガラス枠に嵌め込むガラスユニット、前枠と球皿等を備えた球皿ユニット、前枠と基板や球通路等を備えた機構板、機構板と遊技球を貯留する球タンク等の組み合わせである。特に、枠体が前枠、開閉体がガラス枠であるとき、より効果を発揮する。これらは、ヒンジ構造が遊技機正面から視認されやすい連結箇所であり、ガラス枠の後側には複数の入賞装置が配設された遊技盤が設けられているため、不正行為の対象になりやすいからである。また、遊技機において最も頻繁に開閉を必要とする箇所なので、作業者がより安全に作業できるヒンジ構造が求められるからである。本発明において、ヒンジ構造は、少なくとも１つ、好ましくは２つ以上のヒンジによって連結するものである。開閉体及び枠体の一側辺の上部と下部の少なくとも２ヶ所にヒンジを設けると、開閉動がより安定するのでより好ましい。【００１０】  前記ヒンジ構造は、ヒンジ軸と、前記ヒンジ軸を支持する支持板と、前記ヒンジ軸の頭部が嵌合するヒンジ孔とを含む。前記開閉体又は前記枠体のいずれか一方には、前記支持板が固定されており、他方には、前記ヒンジ孔が設けられている。そして、ヒンジ軸の頭部、つまりヒンジ軸のヒンジ孔側を、ヒンジ孔から出没させることによって、枠体から開閉体を着脱する構成になっている。また、ヒンジ軸をヒンジ孔に突出状態で貫通させることによって、開閉体がヒンジ軸を中心に枠体から開閉動する構成になっている。ヒンジ孔は、ヒンジ軸の上方にあっても下方にあってもよいが、そのヒンジが作業者の視線よりも高いときにはヒンジ軸の上方に設け、作業者の視線よりも低いときにはヒンジ軸の下方に設ければ、ヒンジ孔を確認しやすく操作性が向上するのでより好ましい。ヒンジ軸及び支持板は、開閉体に設けても枠体に設けてもよいが、開閉体に設ければ、開閉体を取付けるときにヒンジ軸が作業を阻害しにくいのでより好ましい。【００１１】  前記支持板は、軸方向にスライド移動可能なようにヒンジ軸の基部を支持するものであれば、その形や大きさ等によって特に限定されない。支持板は、例えばヒンジ軸が貫通した孔を上下に含むコの字型の支持板等であればよい。また、支持板に対してヒンジ軸が軸回動可能に支持するものであっても、軸回動できないように規制して支持するものであってもよい。なお、ヒンジ軸の基部とは、ヒンジ孔を出没するヒンジ軸の頭部につながった軸をなす部分のことである。ヒンジ軸の基部断面が略円形であれば、スムーズに軸回動するのでより好ましい。【００１２】  前記ヒンジ軸は、前記頭部に突起を含み、かつ、前記突起によって、前記頭部が前記ヒンジ孔に嵌合しない非嵌合位置と、前記頭部が前記ヒンジ孔に嵌合する嵌合位置との間を回動変位するように支持され、前記開閉体と前記枠体とが少なくとも閉鎖されているときに前記非嵌合位置であることに特徴がある。開閉体と枠体とが閉鎖されているとき、ヒンジ軸の頭部を没入方向に押���たとしても、ヒンジ孔を強引に離間させようとしても、ヒンジ孔から突出したヒンジ軸の頭部は没入しないので、開閉体が不正に取外されることはない。また、開閉体と枠体とが少なくとも所定角度に開放されているときには、ヒンジ軸を嵌合位置に位置させることが可能となり、それにより、ヒンジ軸をスライド移動してヒンジ孔から没入させることが可能となるので、開閉体が枠体から取外される。前記嵌合位置となる開閉体と枠体との開放角度は、変動しても固定であってもよいが、角度が４５〜１３５度、好ましくは８０〜１００度の範囲内で嵌合位置になるように固定すれば、開閉体着脱の作業性が上がるのでより好ましい。なお、嵌合位置となる角度は、例えばヒンジ孔の形状等によって決められる。【００１３】  前記ヒンジ軸の頭部は、ヒンジ軸の基部よりも軸半径が大きくても小さくても構わないし、基部の軸断面と異なる形状であってもよい。ヒンジ軸の頭部に配置された突起は、ヒンジ軸を軸方向から見たときにその外縁（頭部の突起を除く外縁）から一部突設したものであればよい。つまり、ヒンジ軸に垂直方向に少なくとも突出した突起であれば、その形や大きさ等によって特に限定されない。前記突起がヒンジ軸先端よりも下に設けられていれば、開閉体の角度等によらず該先端を軸支させた後、軸回転させて頭部をヒンジ孔に嵌合させればよいので、作業性を向上させることができる。前記突起がヒンジ軸先端に設けられていれば、ヒンジ孔から突出する頭部が短くなり、ヒンジ構造をコンパクトにできるのでより好ましい。ヒンジ孔から軸方向に突出するヒンジ軸が短いほど隙間を狭くすることができるので、上述した不正行為を行いにくくなり、不正行為の抑制につながる。また、前記突起が細い棒状であれば、嵌合位置の範囲が小さくなるので、開閉体の着脱位置をより限定でき、安全性が高くなる。【００１４】  前記ヒンジ孔は、その開口部分が前記ヒンジ軸の延長線上にあり、ヒンジ軸の頭部及び基部が通過可能であれば特に限定されないが、前記突起をかたどった切欠き溝を含むことが好ましい。このような切欠き溝を含めば、ヒンジ軸が嵌合位置となる範囲がより限定されるので、開閉体が枠体から開放しているとき作業者が意図せずに非嵌合位置となりにくくなる。ヒンジ孔は、開閉体及び枠体のいずれか一方に設けられていればよいが、枠体に設けられているほうが作業性が高くなるので好ましい。【００１５】  これらのヒンジ構造を構成する部品の材料は、特に限定されない。例えば、金属であれば強度が高いので、重たい開閉体であっても支えることができるので好ましい。特にアルミニウムであれば、強度が高く比較的軽いのでより好ましい。また、樹脂であれば、金属に比べて軽量化できるし安価なので、軽い開閉体の連結には適している。防犯の観点からは、比較的熱に強い熱硬化性樹脂（例えば、フェノール樹脂等）や耐熱性の熱可塑性樹脂（例えば、ポリカーボネート等の汎用エンジニアリング樹脂）を用いるとよい。【００１６】  本発明において、ヒンジ構造は、開閉体と枠体とが閉鎖されているときに、前記ヒンジ軸の軸回動を非嵌合位置の範囲内に規制する手段を含むことが好ましい。前記閉鎖時においてヒンジ軸の軸回動を規制する手段としては、例��ば、突出したヒンジ軸の突起が引っ掛かり軸回動を止める凸部をヒンジ孔付近に設ければよい。ヒンジ軸の軸回動を固定するヒンジ軸固定手段をさらに含むことがより好ましい（請求項２）。ヒンジ軸固定手段は、少なくとも前記閉鎖されているときに、ヒンジ軸の軸回動を固定すればよい。前記閉鎖時にヒンジ軸が軸回動しないように固定されているので、たとえヒンジ軸が支持板に軸回動可能に支持された構成であったとしても、誤ってヒンジ軸が軸回動して嵌合位置となることを防止できる。ヒンジ軸固定手段としては、例えば、ヒンジ孔横に設けられ、非嵌合位置でヒンジ軸の頭部を固定するロックや、支持板に設けられ、非嵌合位置でヒンジ軸の基部を固定するロック等である。【００１７】  また、本発明において、ヒンジ軸の回動は、前記開閉体の開閉に追動するよう構成されていることがより好ましい（請求項３）。この構成では、枠体に対して開閉体を所定の角度まで開放しなければ前記嵌合位置にならないので、開閉体の開放時に意図しないところで開閉体が枠体から外れることはなく、開閉体着脱の安全性はより向上する。【００１８】  本発明において、ヒンジ構造は、開閉体と枠体とが閉鎖されているときに、上述したヒンジ軸の頭部の没入を規制するヒンジ軸没入規制手段をさらに含むことが好ましい。ヒンジ軸没入規制手段を含めば、たとえヒンジ軸が支持板に軸回動可能な構成であっても、前記閉鎖時に誤ってヒンジ軸とヒンジ孔との係合が外れて開閉体が離脱することはない。ヒンジ軸没入規制手段としては、例えば、ヒンジ軸の軸方向移動を規制する手段等を用いることができる。前記ヒンジ軸の軸方向移動を規制する手段として、具体的には、前記閉鎖時にヒンジ軸の基部を突出方向に支持するように、ヒンジ孔側の開閉体又は枠体に、ヒンジ軸に対して略垂直な突起やヒンジ軸の基部の一部が嵌り込む凹みを設ければよい。前記ヒンジ軸没入規制手段は、前記頭部が前記ヒンジ孔から突出した状態に維持するように、前記支持板に対して前記ヒンジ軸を付勢するヒンジ軸付勢手段であれば、より好ましい。前記閉鎖時においてもヒンジ軸は突出方向に付勢されているので、作業者がヒンジ軸付勢手段の付勢方向に対抗する力を加えない限りヒンジ軸の頭部が没入しないし、開閉体を取付けるときヒンジ孔に嵌合させやすいので作業性があがるからである。ヒンジ軸付勢手段としては、例えば、ヒンジ軸の基部と支持板とに掛止した引張ばね、ヒンジ軸の基部に通したコイルばね等である。【００１９】  また、本発明において、ヒンジ軸は、頭部とは反対側に摘み部を含むことがより好ましい。この摘み部は、上述したヒンジ軸の軸方向の移動を阻害しなければ、その形体や大きさ等には特に限定されず、例えば、ヒンジ軸に垂直な方向に突起を設けて摘み部としても、前記ヒンジ軸の反対側の端部を鉤形にして摘み部としてもよい。ヒンジ軸の頭部とは反対側の端部を略Ｌ字型に折り曲げて摘み部とすれば、複雑な成形を必要としないし、別部材を用意する必要もないのでより好ましい。また、上述したヒンジ軸没入規制手段や、ヒンジ軸の回動範囲を規制するヒンジ軸固定手段として兼用することもできる。【００２０】  また、本発明においては、ヒンジ軸が嵌合位置になったときに作業者に告知する告知手段を設けることがより好ましい。告知手段としては、例えば、ヒンジ軸の突起と嵌合するヒンジ孔の外縁部分に一段下がる段差やテーパーを設けて、ヒンジ軸の突起が嵌合位置にきたとき作業者にクリック感を与えて告知したり、ヒンジ孔に嵌合位置を知られるフォトセンサーを設けて作業者に告知したりすればよい。【００２１】  本発明の遊技機のヒンジ構造において、前記ヒンジ軸は、軸断面が略円形であり、かつ、一端側が前記頭部で他端側が前記摘み部のＬ字型であり、前記頭部は、断面が前記軸断面よりも長い扁平形であり、前記ヒンジ孔は、前記頭部が通過可能な切欠き溝を含み、かつ、ヒンジ軸付勢手段として付勢ばねを含み、ヒンジ軸固定手段として前記ヒンジ軸に沿って軸回動しないように配置された案内壁をさらに含む構成にすればよい。このヒンジ構造では、摘み部が案内壁に接触してヒンジ軸が回動しないように固定しており、前記開閉体の開閉動にヒンジ軸の軸回動が追動するようになっている。【００２２】  以下、本発明の実施の形態について図面を用いて説明する。【００２３】  （実施形態１）
図１は、本発明の遊技機のヒンジ構造の一例を示す正面図である。図１に示すように、遊技機１は、遊技盤３１、下球皿３２及びハンドル３３を前面に配置した前枠３と、ガラスユニット２１を嵌めたガラス枠２と、上球皿７１を含む上球皿ユニット７と、前枠３の外側に配置した外枠（図示せず）とを備える。ガラス枠２は、上ヒンジ４及び中ヒンジ５によって、前枠３の正面左の側辺に軸支され、前枠３に対して開閉可能及び着脱可能となっている。ガラス枠２の下に配置された上球皿ユニット７は、中ヒンジ５及び下ヒンジ６によって、前枠３の正面左の側辺に軸支され、前枠３に対して開閉可能及び着脱可能となっている。また、ガラス枠２及び上球皿ユニット７は、前枠３に対して閉鎖しているとき、施錠装置３４によって前枠３に施錠されるようになっている。【００２４】  まず、図１〜３を用いて、ガラス枠２と前枠３とを開閉可能及び着脱可能に連結するヒンジ構造について説明する。図２は、上ヒンジ４を示す遊技機１の左上部分の分解斜視図である。図３は、ガラス枠２と前枠３とが閉鎖された状態において、上ヒンジ４のヒンジ軸中心を通るように遊技機前後に切断して正面右から見た上ヒンジ４の断面図である。図１に示すように、中ヒンジ５は、ガラス枠２の正面左の下辺に陥没するように形成されたヒンジ孔５３と、前枠３の正面左の側辺上のガラス枠２下端に対向する位置に固定された支持板５２と、上方に向けて突出するように支持板５２に固定されたヒンジ軸５１とを含む。図２、３に示すように、上ヒンジ４は、上下に可動するようにガラス枠２の正面左の上端角部に形成されたヒンジ軸４１と、ヒンジ軸４１を支持する支持板４２と、前枠３の正面左の上端角部に形成されたヒンジ孔４３を有する板金４４とを含む。【００２５】  このヒンジ構造では、まず、ガラス枠２を持ち上げてヒンジ孔５３にヒンジ軸５１を挿し込み、ガラス枠２の下端角部と前枠３の支持板５２とを連結しておく。次に、ガラス枠２の上端角部を前枠３に重ねて、ヒンジ軸４１を下から上方向に可動させてヒンジ孔４３に嵌合させて、ガラス枠２を前枠３に取付ける。このとき、ガラス枠２は前枠３に対して開放した状態である。また、ヒンジ孔４３、５３は、ヒンジ軸４１、５１を回動可能に保持するので、ガラス枠２は前枠３に対して開閉可能である。ガラス枠２を前枠３から取外すときは、その逆の手順で、まず上ヒンジ４側のヒンジ軸４１とヒンジ孔４３を外して、ガラス枠２の上端角部と前枠３の上端角部とを離間し、ガラス枠２を持ち上げて中ヒンジ５側のヒンジ軸５１とヒンジ孔５３を外すようになっている。【００２６】  次に、図２〜４を用いて、上ヒンジ４の構造について詳説する。図４は、遊技機１の左上部分の上面図であり、図４Ａは、ガラス枠２と前枠３とが開放され、上ヒンジ４によってガラス枠を前枠３から（取外す直前の）取外し可能な状態を示し、図４Ｂは、ガラス枠２と前枠３とが閉鎖された状態（通常遊技する状態）であり、上ヒンジ４によってガラス枠２を前枠３から取外せない状態を示している。【００２７】  上ヒンジ４は、図２、３に示すように、ヒンジ軸４１と、支持板４２と、ヒンジ孔４３を有する板金４４と、コイルばね４５とで構成されている。上ヒンジ���は、ガラス枠２に固定された支持板４２に上下可動可能に支持されたヒンジ軸４１が、前枠３側に設けられたヒンジ孔４３を貫通しているヒンジである。【００２８】  ヒンジ軸４１は、断面が略円形の棒状部材を屈曲することによって形成された略Ｌ字型の金属製部材であって、その長辺が軸方向の基部４１２、基部４１２の端部が頭部４１１、短辺が軸方向に略垂直な摘み部４１３となっている。基部４１２は、略同一断面を有する円柱であり、上述したヒンジ軸４１の上下のスライド可動がスムーズに行えるようになっている。また基部４１２は、ヒンジ軸４１の上下のスライド可動に充分な長さを有する。頭部４１１には、金属で形成された円柱の突起４１４が１８０度離れて２個、いずれもヒンジ軸４１の軸方向に略垂直に設けられている。突起４１４は、頭部４１１に設けられた軸方向に略垂直の貫通孔に、円柱の棒をその両端が突出して突起４１４となるように貫通させて固定したものである。【００２９】  支持板４２は、略コの字型を含む板金であって、上下に形成された略平行な２面にはヒンジ軸４１の基部４１２が貫通する孔が設けられ、軸方向に摺動可能かつ軸回動可能なようにヒンジ軸４１の基部４１２を支持している。支持板４２は、前記２面を連結する面とガラス枠２とがビスで固定されている。支持板４２は、上下の２箇所で基部４１２を支持しているので、ヒンジ軸４１の軸方向が一定になり、安定して上下のスライド可動させることができる。また、ヒンジ軸４１は、図３に示すように、ガラス枠２と前記２面を連結する面との間に、支持板４２に囲まれるように配置されているので、コイルばね４５の破損を防止できる。【００３０】  コイルばね４５は、基部４１２の前記支持板４２の略平行な２面の間に配置された部分に巻回されている。コイルばね４５は、その上端がＥリングで固定され、下端が上述した支持板４２の略平行な２面の下面に配置されることによって、ヒンジ軸４１を支持板４２に対して軸方向に上向きに付勢している。【００３１】  板金４４は、平板状であって、前枠３の上面にビスで固定されている。板金４４の遊技機１前方側の先端部分にはヒンジ孔４３が設けられている。ヒンジ孔４３は、基部４１２が通過可能であって開口部が略円形の貫通孔に、突起４１４をかたどった切欠き溝４３１が形成された形状である。切欠き溝４３１は、テーパーで縁取られている。【００３２】  案内壁４６は、ガラス枠２を構成する樹脂製枠から立設した２枚の板状部材である。案内壁４６は、支持板４２のヒンジ軸４１を支持する箇所の下に、この２枚の部材で基部４１２を挟むように配置されている。案内壁４６の長さは、ヒンジ軸４１を上下に可動させてもヒンジ軸４１の下端（摘み部４１３）が出ない十分な長さである。案内壁４６を設けることによって、ヒンジ軸４１はガラス枠２に対して軸回動せず、ガラス枠の開閉動に追動する。【００３３】  上ヒンジ４は、図４Ａに示すように、ガラス枠２を開放してヒンジ軸４１の頭部４１１の形がヒンジ孔４３の形と合う位置（嵌合位置）になったとき、ヒンジ軸４１を軸方向の下向きにスライドさせて、ガラス枠２を前枠３から取外すことができる。ヒンジ軸４１は、コイルばね４５によって常に支持板４２及びヒ���ジ孔４３に対して突出した状態に付勢されているので、作業者が摘み部４１３を軸方向下向きに下げなければ、たとえ嵌合位置であってもヒンジ孔４３から頭部４１１が没入することはない。また、切欠き溝４３１がテーパーで縁取られているため、切欠き溝４３１付近に突起４１４がくると案内されるようになっている。【００３４】  また、図４Ａに示すように、ヒンジ軸４１が前記嵌合位置となるのは、ガラス枠２を所定の角度、本実施形態では約９０度開放したときに決まっている。これは、ヒンジ孔４３がヒンジ軸４１の頭部４１１の上方から見た形状にかたどられているからである。さらに、案内壁４６によって、ヒンジ軸４１がガラス枠２の開閉に追動して回動するように固定されているからである。よって、ガラス枠３を開放して、例えばメンテナンスといった作業中に誤って摘み部４１３を下げようとしても、前記所定の角度でない限り、頭部４１１は突出状態を維持できるので、安全性が高い。なお、前記所定の角度は９０度に特に限定されるものではない。【００３５】  上ヒンジ４は、図４Ｂに示すように、ガラス枠２と前枠３とが閉鎖されて突起４１４と切欠き溝４３１との位置が合わないとき（非嵌合位置）、ガラス枠２と前枠３とを軸着しているおり、頭部４１１を没入方向に押したとしても、ヒンジ孔４３を強引に引き上げようとしても、ヒンジ孔４３から突出した頭部４１１は没入しないので、ガラス枠２が不正に取外されることはない。図４Ｂでは、ガラス枠２と前枠３とが閉鎖している状態を示しているが、図４Ａに示した嵌合位置、ガラス枠２の開放角度が所定の角度（約９０度）でなければ、ガラス枠２が開放していても同様である。ガラス枠２が前記所定の角度でなければ取外されないのは、案内壁４６によって、上述したヒンジ軸４１がガラス枠２の開閉に追動しているからである。【００３６】  本実施形態のヒンジ構造では、上ヒンジ４の支持板４２と、中ヒンジ５のヒンジ孔５３を形成した板金とを連結した一部材とすることもできる。ガラス枠２のヒンジ構造の寸法精度を向上させることができるし、ガラス枠２を補強できる。【００３７】  本実施形態のヒンジ構造では、頭部に２個の突起を設けたヒンジ軸４１を用いたが、この突起がいずれか１個であるヒンジ軸を用いることも、図５に示した形状のヒンジ軸を用いることもできる。図５Ａに示したヒンジ軸８１は、突起８１４を頭部８１１の先端に設けて、ヒンジ孔から突出する頭部８１１の長さを短くしたこと以外はヒンジ軸４１と同様である。ヒンジ孔から軸方向に突出するヒンジ軸の頭部が短いほど、ヒンジ構造の長さを短くできるし、不正行為をより行いにくいヒンジにすることができる。図５Ｂに示したヒンジ軸９１は、頭部９１１の軸半径を基部９１２よりも小さくし、ヒンジ軸９１を軸方向から見たときに突起９１４を含む頭部９１１の外接円を基部９１２よりも小さくしたこと以外はヒンジ軸８１と同様である。ヒンジ軸９１は、例えばヒンジ軸４１の形成に用いた棒状部材の先端を研削して頭部９１１及び突起９１４を形成すればよいので、ヒンジ軸４１やヒンジ軸８１に比べて製造しやすい。なお、ヒンジ軸９１を用いるとき、ヒンジ孔の形状は、ヒンジ孔４３よりも小さく、突起９１４を含む��部９１１をかたどった形状にすればよい。【００３８】  本実施形態のヒンジ構造は、上球皿ユニット７と前枠３とを開閉可能及び着脱可能に連結するヒンジ構造に適用することもできる。下ヒンジ６（図１参照。）に、上ヒンジ４の軸方向を逆向きにした構造、すなわち前枠３に設けたヒンジ孔を、上球皿ユニット７に設けたヒンジ軸の基部の下方に配置した構造を用いればよい。
【図面の簡単な説明】
【００３９】
【図１】  実施形態１のヒンジ構造を含む遊技機の正面図である。
【図２】  実施形態１の上ヒンジの構成を示す分解斜視図である。
【図３】  実施形態１の上ヒンジの断面図である
【図４】  （Ａ）は、ガラス枠開放時の上ヒンジの構成を示す上面図であり、（Ｂ）は、ガラス枠閉鎖時の上ヒンジの構成を示すの上面図である。
【図５】  （Ａ）及び（Ｂ）は、上ヒンジを構成する他のヒンジ軸を説明する図である。
【符号の説明】
【００４０】１      遊技機
２      ガラス枠（開閉体）
２１    ガラスユニット
３      前枠（枠体）
３１    遊技盤
３２    下球皿
３３    ハンドル
３４    施錠装置
４      上ヒンジ
４１    ヒンジ軸
４１１  頭部
４１２  基部
４１３  摘み部
４１４  突起
４２    支持板
４３    ヒンジ孔
４３１  切欠き溝
４４    板金
４５    コイルばね
４６    案内壁
５      中ヒンジ
５１    ヒンジ軸
５２    支持板
５３    ヒンジ孔
６      下ヒンジ
７      上球皿ユニット
７１    上球皿
８１    ヒンジ軸
８１１  頭部
８１４  突起
９１    ヒンジ軸
９１１  頭部
９１２  基部
９１４  突起
【図１】
2009131577.tif 000003
【図２】
2009131577.tif 000004
【図３】
2009131577.tif 000005
【図４】
2009131577.tif 000006
【図５】
2009131577.tif 000007